(57)【特許請求の範囲】
【請求項１】
複数の表示領域に複数種類の識別情報を変動表示させうる表示装置と、所定条件が成立したことを契機に、前記各表示領域に識別情報を変動表示させた後、識別情報を確定表示させる制御を実行する表示制御手段と、前記各表示領域に確定表示される識別情報が予め定められた特定表示結果になった場合に、遊技者にとって有利な遊技状態に制御しうる遊技制御手段とを備える遊技機において、
前記遊技制御手段は、前記各表示領域にそれぞれ対応し、かつ識別情報の種類に対応する数値データを周期的に更新する複数の更新手段を含み、前記表示装置に前記特定表示結果ではない外れ表示結果を表示させる場合、前記所定条件が成立したことを契機に、前記各更新手段によって更新された各数値データから前記各表示領域毎に対応するカウント値を１個ずつ選択し、前記各表示領域にそれぞれ確定表示される識別情報を、当該識別情報を確定表示させるべく表示領域に対応する更新手段から選択したカウント値と他の表示領域に対応する他の更新手段から選択したカウント値とを組合わせた所定の演算によって得られるカウント値に基づいて決定することを特徴とする遊技機。
【発明の詳細な説明】
【０００１】
【発明の属する技術の分野】
本発明は、パチンコ機やスロットマシン等の遊技機に関する。詳しくは、複数種類の識別情報を変動表示可能な表示装置と、表示装置に表示される複数種類の識別情報を変動表示させた後に、表示結果を確定表示させる制御を実行する表示制御手段と、表示装置に確定表示される表示結果が予め定められた特定表示結果になった場合に、遊技者にとって有利な遊技状態に制御可能な遊技制御手段とを含む遊技機に関する。
【０００２】
【従来の技術】
例えば、パチンコ機のような遊技機において、遊技盤の中央部に配置された複数列(例えば３列)の図柄から構成される識別情報を変動表示しうる表示装置を備えているものがある。そして所定の確率に基づいて、表示装置に表示された各識別情報が、特賞図柄として、予め定められた表示態様(例えば「１、１、１」)が成立した場合に、特賞状態を生起させ、遊技者に所定の遊技価値を付与するようにしている。
【０００３】
このような遊技機においては、所定の確率に基づいて、表示装置に表示される各識別情報を決定する制御方式としては、特開平１０―１９２４９９号公報または特開平１０―２９５８９７号公報に開示されているように、表示装置に表示される各識別情報を決定する為のカウント値を１ずつ加算し、この加算したカウント値が所定値に達すると、カウント値の初期化を行うとともに、再び加算を開始する更新処理を実行し、この更新処理を、遊技機の制御に関する一連の制御手順を実行した後に、次の割込信号があるまで繰り返し行うようにしているものがある。
【０００４】
また、特開平４―３２２６７７号公報には、表示装置に表示される各識別情報を決定するために、前回、表示装置に表示された各識別情報を決定するためのカウント値を用いて行う制御について開示されている。
【０００５】
【発明が解決しようとする課題】
しかし、上述のような従来技術によると、遊技機の制御に関する一連の制御手順の進行が、一定の割込時間内に収まるように構成されているため、遊技機が単調な動作を繰り返す場合（例えば、特賞図柄やリーチも発生しない図柄変動が繰返して行われるとき）には、上記カウンタの更新が規則的に推移してしまうことがあり、その結果、周期的に同一種類の停止図柄が発生して、遊技者を飽きさせてしまうことがあった。また、前回、表示装置に表示された各識別情報を決定するためのカウント値を保持する必要があるので、制御負担も大であった。
【０００６】
本発明は、上述のような従来の課題を解決するためになされたもので、その目的は、表示結果のランダム性を高めることにより、表示結果の偏りを防止するようにした遊技機を提供することにある。
【０００７】
【課題を解決するための手段】
本発明によると、上記課題は、次のようにして解決される。
複数の表示領域に複数種類の識別情報を変動表示させうる表示装置と、所定条件が成立したことを契機に、前記各表示領域に識別情報を変動表示させた後、識別情報を確定表示させる制御を実行する表示制御手段と、前記各表示領域に確定表示される識別情報が予め定められた特定表示結果になった場合に、遊技者にとって有利な遊技状態に制御しうる遊技制御手段とを備える遊技機において、前記遊技制御手段は、前記各表示領域にそれぞれ対応し、かつ識別情報の種類に対応する数値データを周期的に更新する複数の更新手段を含み、前記表示装置に前記特定表示結果ではない外れ表示結果を表示させる場合、前記所定条件が成立したことを契機に、前記各更新手段によって更新された各数値データから前記各表示領域毎に対応するカウント値を１個ずつ選択し、前記各表示領域にそれぞれ確定表示される識別情報を、当該識別情報を確定表示させるべく表示領域に対応する更新手段から選択したカウント値と他の表示領域に対応する他の更新手段から選択したカウント値とを組合わせた所定の演算によって得られるカウント値に基づいて決定する。
【００１１】
【発明の実施の形態】
以下、本発明の一実施形態を、図面に基づいて説明する。
図１は、本発明の一実施形態における遊技機の一部分を構成する遊技盤(10)の正面図である。
【００１２】
遊技盤(10)は、外側ガイドレール(11)と内側ガイドレール(12)とによって包囲された円形状の遊技領域(13)を備え、遊技者の操作により、図外の発射装置から発射された遊技球が、遊技領域(13)を転動することにより、後述の遊技が行われる。
【００１３】
なお、遊技領域(13)には、遊技釘が多数配置され、遊技球は、遊技釘に当接することにより、転動することになるが、該遊技釘は、図面簡素化のため省略してある。
【００１４】
遊技領域(13)の中央部には、特別図柄表示装置(14)が配置されている。特別図柄表示装置(14)は、左、中、右の表示領域に「０」〜「９」の数字のいずれかで構成される１０種類の左、中、右の３桁の特別図柄(識別情報)等を表示可能に構成される。
【００１５】
所定の確率、たとえば通常確率モードに基づいて、特別図柄表示装置(14)に確定表示された特別図柄が、予め定められた特定表示結果として、例えば「４、４、４」のように同一の数字で表示された場合に、特賞状態を生起させ、後述の変動入賞装置(18)を、遊技者にとって有利な状態に変動させ、遊技者に所定の遊技価値を付与するようになっている。
【００１６】
また、特別図柄表示装置(14)に確定表示された特別図柄が、「７、７、７」のように奇数で表示された場合には、さらに特賞状態が生起される確率を向上させた特別確率モードとし、特賞状態が所定回数(例えば１回)生起するまで特別確率モードになるようにしてある。
【００１７】
この確率向上期間中に、特別図柄表示装置(14)に確定表示された各特別図柄が、再び「５、５、５」のように奇数で表示された場合には、さらに確率向上期間は延長されるようになっている。
【００１８】
特別図柄表示装置(14)の下方には、入賞口として特別図柄始動口(15)が配置され、また特別図柄始動口(15)の両側方には、普通図柄作動ゲート(16)(16)が配置されている。
【００１９】
遊技球が特別図柄始動口(15)に入球すると、所定の確率に基づいて、特賞状態を生起するか否かが判定され、その判定の結果をもって、特別図柄表示装置(14)の特別図柄を始動させて変動を開始させ、その後、所定の図柄を確定表示させる。
ここで、入球には、入賞するタイプだけではなく通過するタイプも含む。また、所定の確率とは、通常確率モード(例えば当選確率３５０分の１)と特定表示結果となる確率が前記通常確率モードより高い特別確率モード(例えば当選確率８０分の１)の両者がある。
【００２０】
特別図柄始動口(15)に入球すると、上限値として最大４回の入賞まで、特別図柄を始動させる権利が確保可能になるように構成されている。この始動権利数に応じて、特別図柄表示装置(14)の左側に配置される始動権利数表示装置(1a)(1b)(1c)(1d)が点灯する。
【００２１】
また、遊技球が普通図柄作動ゲート(16)を通過すると、所定の確率に基づいて、準特賞状態を生起するか否かが判定され、その判定の結果をもって、特別図柄表示装置(14)の上方に配置された普通図柄表示装置(17)を変動させ、その後に所定の図柄を確定表示させる。
【００２２】
普通図柄表示装置(17)は、それぞれＬＥＤで構成された普通図柄表示領域(17a)(17b)が、交互に点灯を繰返すことにより表示を行う。
所定の確率に基づいて、交互に点灯表示を繰返す普通図柄が、予め定められた表示態様として、普通図柄表示領域(17a)が点灯表示された場合に、準特賞状態を生起させ、特別図柄始動口(15)の左右の可動片(15a)(15b)を所定時間開放し、遊技球が特別図柄始動口(15)に入賞しやすくなるようにしてある。図１では、可動片(15a)(15b)が開放した状態を示してある。
【００２３】
このように、特別図柄始動口(15)は、可動片(15a)(15b)を開閉することによって、入賞開口が拡大する第１状態と、入賞開口が縮小する第２状態とに変化可能に構成されている。この第１状態となる時間には、通常時間モード(例えば０.５秒)と、通常時間よりも延長させる開放時間延長モード(例えば２秒)との２通りがある。この開放時間延長モードは、前述の特別確率モード期間中に設定される。また、普通図柄表示装置(17)の図柄変動時間には、通常時の比較的長いパターン(例えば３０秒)と、特定時の短いパターン(例えば５秒)との２通りがある。
【００２４】
遊技領域(13)の下方には、変動入賞装置(18)が配置されている。変動入賞装置(18)は、特賞状態期間中に広幅の扉が前面側に開いて、遊技球が入賞可能な状態とする大入賞口(19)を備えている。
【００２５】
大入賞口(19)の扉が開放されている状態や、開閉を繰り返している状態で、遊技球が入賞可能な状態を、遊技者にとって有利な状態という。この第１状態以外の状態、すなわち、大入賞口(19)の扉が閉鎖されていて、遊技球が入賞不可能な状態を、遊技者にとって不利な状態という。
【００２６】
その他、遊技領域(13)には、遊技釘とともに遊技球の転動方向を変化させるランプ付き風車(20)、遊技球を遊技盤(10)の裏面に送るアウト口(21)、及びランプ表示装置(22)等が配置されている。
【００２７】
以上、遊技盤(10)に配置された各装置について説明したが、これら各装置のうち主要なものは、マイクロコンピュータによって制御されており、これについて、制御ブロック図を参照しつつ説明する。
【００２８】
図２は、遊技盤(10)に配置された各装置に係わる遊技制御ブロック図である。なお、図外の遊技機本体、すなわち、発射装置や賞球排出装置を制御する制御系統や電源回路等は、ここでは省略する。
【００２９】
主制御部(200)は、制御プログラムおよびデータを記憶しているＲＯＭ(201)と、ＣＰＵのワークエリアとして機能するＲＡＭ(202)とともに一体型のワンチップＣＰＵとして構成され、ＲＯＭ(201)に記憶された制御プログラムにより、一連の制御処理を実行する遊技制御手段が構成されている。
【００３０】
ＲＡＭ(202)のカウンタ領域には、特別図柄の変動表示を開始させる始動権利を上限値(例えば４個)まで計数記憶するとともに、変動表示を開始させる毎に計数値が減算される始動権利計数カウンタ(始動権利数記憶手段)が形成されている。
【００３１】
また、主制御部(200)には、入力ポート(210)を介して、特別図柄始動口(15)の内部に配置され、遊技球の通過を検出する特別図柄始動スイッチ(150)、普通図柄作動ゲート(16)の内部に配置され、遊技球の通過を検出する普通図柄作動スイッチ(160)、変動入賞装置(18)における大入賞口(19)の内部に配置され、大入賞口(19)に入賞した遊技球を検出する大入賞口スイッチ(190)、同じく変動入賞装置(18)における大入賞口(19)の内部に配置され、特定の領域を通過した遊技球のみを検出する特定領域スイッチ(195)が接続され、各検出信号を入力可能となっている。
【００３２】
さらに、主制御部(200)には、出力ポート(220)を介して、特別図柄表示装置(14)、変動入賞装置(18)における大入賞口(19)の広幅な扉を開放制御するための大入賞口作動ソレノイド(180)、特別図柄始動口(15)の可動片(15a)(15b)を開放制御するための普通電動役物作動ソレノイド(185)、普通図柄表示装置(17)、ランプ付き風車(20)及びランプ表示装置(22)等の表示灯を点灯制御するための表示灯装置(230)、図示しないスピーカーを制御するための効果音発生装置(240)、４つのＬＥＤから構成される始動権利数表示装置(1a)(1b)(1c)(1d)が接続され、各制御信号を出力しうるようになっている。
【００３３】
次に、主制御部(200)が特別図柄表示装置(14)に対して実行する制御の一例について説明する。
遊技球が、始動権利数が上限値以下であるときに、特別図柄始動口(15)に入賞すると、主制御部(200)は、特別図柄始動スイッチ(150)からの信号を受信し、所定の確率に基づいて、特賞状態を生起するか否かの判定を行い、その判定にしたがって、特別図柄表示装置(14)へ表示指令情報を送信する。このとき、主制御部(200)は、効果音発生装置(240)へ効果音発生指令情報をも送信する。すなわち、主制御部(200)は、特別図柄表示装置(14)に確定表示される表示結果としての複数桁の図柄を事前に決定しておく表示結果決定手段として機能する。
【００３４】
表示指令情報には、特別図柄表示装置(14)の図柄変動開始を指示するとともに、図柄変動時間及び図柄変動態様を指定する図柄変動指定情報と、確定表示される停止図柄を指定する停止図柄指定情報と、図柄変動終了を指定する変動停止指定情報とが含まれており、これら表示指令情報は、ＲＯＭ(201)に格納されている。
【００３５】
主制御部(200)は、特別図柄表示装置(14)の図柄変動表示を開始させるような遊技状況となったときに、表示指令情報を、１回の変動表示制御において、所定のタイミングで特別図柄表示装置(14)に送信する。
【００３６】
図３は、特別図柄表示装置(14)に係わる表示制御ブロック図である。
特別図柄表示装置(14)は、主制御部(200)からの表示指令情報を受信するためのデータ受信回路(320)と、受信した表示指令情報に基づいて表示制御を行うために必要な制御データを生成して、画像表示処理用ＬＳＩ(310)に出力するＣＰＵ（表示制御手段）(300)と、ＣＰＵ(300)の動作手順を記述したプログラムを内蔵するプログラムＲＯＭ(330)と、ワークエリアやバッファメモリとして機能するＲＡＭ(340)と、画像表示処理を行う画像表示処理用ＬＳＩ(310)と、画像表示処理用ＬＳＩ(310)が展開した画像データを一時的に記憶するビデオＲＡＭ(350)と、画像表示処理用ＬＳＩ(310)が画像展開するために必要なデータとして図柄データやキャラクタ画像データ等を格納したキャラクタＲＯＭ(360)と、画像表示処理用ＬＳＩ(310)から送出された画像データを用いて、表示画像を出力するＬＣＤディスプレイ(370)とを有している。
【００３７】
ＣＰＵ(300)は、特別図柄表示装置(14)が図柄変動中であることを示す図柄変動中情報や、確定表示される停止図柄内容を示す図柄情報等の表示関連情報を遊技機外部に出力する手段を備えている。特別図柄表示装置(14)はさらに、出力端子として表示関連情報出力端子(380)を有している。
【００３８】
次に、主制御部(200)が表示結果決定手段として、所定の確率に基づいて、特賞状態を生起するか否かを判定し、その判定の結果をもって、特別図柄表示装置(14)の特別図柄を始動させて変動を開始させ、その後、所定の図柄を確定表示させるようになっている。そのための制御について、図４及び図５を参照しつつ説明する。
【００３９】
まず、数値データとしてのカウント値を更新するために、ＲＯＭ(201)には、カウント値「０」から所定上限カウント値まで、所定周期(4msec)で常時１ずつカウントアップし、かつ所定上限カウント値になるとカウント値「０」に戻り、カウントアップを繰返す無限ループカウンタが形成されている。これにより、主制御部(200)が更新手段としてカウントアップ(更新)する制御を実行している。また、所定周期(4msec)内でランダムな回数分、１ずつカウントアップすることがあってもよい。
【００４０】
具体的には、図４に示すように、特別図柄に関連する数値データとしてのカウント値を更新するカウンタとしては、特賞状態決定用カウンタ(カウント更新範囲「０」〜「３４９」)(400)、当選図柄決定用カウンタ(カウント更新範囲「０」〜「９」)(401)、左図柄決定用カウンタ(カウント更新範囲「０」〜「９」)(402)、中図柄決定用カウンタ(カウント更新範囲「０」〜「９」)(403)、右図柄決定用カウンタ(カウント更新範囲「０」〜「９」)(404)が挙げられるが、他にもリーチ決定用カウンタ等を設けてもよい。
【００４１】
特賞状態決定用カウンタ(400)は、特賞状態を生起させるか否かを判定するために用いられるカウンタである。当選図柄決定用カウンタ(401)は、特賞状態を生起させるときに、特賞図柄の種類を選択するために用いられるカウンタである。左図柄決定用カウンタ(402)と中図柄決定用カウンタ(403)と右図柄決定用カウンタ(404)とは、特賞状態を生起させないときに、それぞれ同一の図柄とならないように図柄の種類を選択するために用いられるカウンタである。
【００４２】
ＲＯＭ(201)のデータテーブルには、各数値データとしてのカウント値に対応したデータが格納されている。例えば、特賞状態決定用カウンタ(400)のカウント更新範囲は、カウント値「０」〜「３４９」であるが、カウント値「７」に対応するデータを特賞状態を生起させる値と定義するとともに、カウント値「７」以外のカウント値に対応するデータを、特賞状態を生起させない値と定義する。
【００４３】
所定条件が成立した場合(例えば、特別図柄始動スイッチ(150)から信号入力があったとき)、主制御部(200)が、選択したカウント値が「７」であれば、特賞状態を生起することになり、３５０分の１の確率で特賞状態を生起可能となる。また、特別確率モード時には、カウント値「３」、「７」、「７３」、「１５３」、「１３９」に対応するデータを特賞状態を生起させる値と定義すれば、８０分の１の確率で特賞状態を生起することとなる。
【００４４】
同じく、左図柄決定用カウンタ(402)と中図柄決定用カウンタ(403)と右図柄決定用カウンタ(404)とは、カウント更新範囲が、それぞれカウント値「０」〜「９」であるが、図５に示すＲＯＭ(201)に格納しておくデータテーブルにおいて、カウント値「０」に対応するデータとして、確定表示される図柄の種類を図柄「１」とする値と定義する。以下、カウント値「１」〜「９」まで対応するデータとして、確定表示される図柄の種類を図柄「２」〜「１０」とする値と定義する。
【００４５】
このとき、識別情報決定手段として機能する主制御部(200)が、所定条件が成立したとして、左図柄決定用カウンタ(402)と中図柄決定用カウンタ(403)と右図柄決定用カウンタ(404)とを用いて、選択したカウント値が、それぞれ「１」、「８」、「５」であれば、特別図柄表示装置(14)に確定表示される左・中・右図柄は、それぞれ図柄「２」、図柄「９」、図柄「６」となる。また、当選図柄決定用カウンタ(401)にも、同様に各数値データとしてのカウント値に対応したデータが定義されている。
【００４６】
図６は、主制御部(200)が実行する処理のうちの本実施形態に係わる主要部を説明するフローチャートである。
まず、ステップＳ６００において、主制御部(200)は、特別図柄始動スイッチ(150)からの信号が入力されたか否かを判定する信号入力チェック処理を実行する。特別図柄始動スイッチ(150)からの信号が入力されたと判定する(YES)と、ステップＳ６０１へ移行する。一方、特別図柄始動スイッチ(150)からの信号が入力されないと判定する(NO)と、ステップＳ６０４へ移行する。
【００４７】
ステップＳ６０１において、主制御部(200)は、始動権利計数カウンタの計数値が上限値(例えば４個)となっているか否かを判定する。上限値となっていると判定する(YES)と、ステップＳ６０４へ移行する。一方、上限値となっていないと判定する(NO)と、ステップＳ６０２へ移行する。
【００４８】
ステップＳ６０２において、主制御部(200)は、所定の確率に基づいて、特賞状態を生起するか否かの抽選処理を実行する。この抽選処理は、前述したように、特賞状態決定用カウンタ(カウント更新範囲「０」〜「３４９」)(400)を用いて行われる。この場合、特賞状態を生起する際には、ＲＡＭ(202)の所定エリアに特賞フラグを格納する。また、この抽選処理によって、図柄変動指定情報も選択される。
【００４９】
ステップＳ６０３において、主制御部(200)は、始動権利計数カウンタに１を加算する処理を実行する。このとき、計数値に対応する始動権利数表示装置(1a)(1b)(1c)(1d)を点灯制御する。
【００５０】
ステップＳ６０４において、主制御部(200)は、ステップＳ６０２で選択した図柄変動指定情報からなる表示指令情報を送信するタイミングであるか否かを判定する。送信するタイミングであると判定する(YES)と、ステップＳ６０５へ移行する。一方、送信するタイミングでないと判定する(NO)と、ここでの処理を終了して、再度スタートに戻る。送信するタイミングでないときとは、例えば図柄変動中や特賞状態期間中である。
【００５１】
ステップＳ６０５において、主制御部(200)は、先に選択した図柄変動指定情報からなる表示指令情報を特別図柄表示装置(14)へ送信する。これにより、特別図柄表示装置(14)は、受信した表示指令情報に基づいて図柄変動制御を実行し、遊技者は、表示状態が変化したこと、つまり図柄が変動したことを把握可能となる。
【００５２】
ステップＳ６０６において、主制御部(200)は、始動権利計数カウンタに１を減算する処理を実行する。そして計数値に対応する始動権利数表示装置(1a)(1b)(1c)(1d)が消灯制御する。
【００５３】
ステップＳ６０７において、主制御部(200)は、所定の確率に基づいて、確定表示される図柄の種類を選択決定するための抽選処理を実行する。この抽選処理は、前述したように、当選図柄決定用カウンタ(カウント更新範囲「０」〜「９」)(401)、左図柄決定用カウンタ(カウント更新範囲「０」〜「９」)(402)、中図柄決定用カウンタ(カウント更新範囲「０」〜「９」)(403)、及び右図柄決定用カウンタ(カウント更新範囲「０」〜「９」)(404)を用いて行われる。この処理については、図７及び図８に基づいて後述する。
【００５４】
ステップＳ６０８において、主制御部(200)は、先のステップＳ６０７における抽選処理によって、選択された停止図柄指定情報からなる表示指令情報を特別図柄表示装置(14)へ送信し、ステップＳ６０９において、主制御部(200)は、変動停止指定情報からなる表示指令情報を特別図柄表示装置(14)へ送信する。これにより、特別図柄表示装置(14)は、受信した表示指令情報に基づいて図柄の停止制御を実行し、遊技者は、図柄が停止(確定表示)したことを把握可能となる。
【００５５】
ステップＳ６１０において、主制御部(200)は、ステップＳ６０２で特賞状態フラグを格納したか否かを判定するフラグチェック処理を実行する。ここで、特賞状態フラグを格納したと判定する(YES)と、ステップＳ６１１に移行し、特賞状態フラグを格納していないと判定する(NO)と、ここでの処理を終了して、再度スタートに戻る。
【００５６】
最後に、ステップＳ６１１において、主制御部(200)は、大入賞口(19)の広幅の扉を開放制御するための大入賞口作動ソレノイド(180)を駆動制御する特賞状態処理を実行する。
【００５７】
特賞状態処理は、図示しない別ルーチンに移行して制御処理されるが、具体的には、主制御部(200)は、特賞状態処理中に、大入賞口スイッチ(190)からの信号が１０回入力されるか、または大入賞口(19)が開放してから３０秒が経過すると、大入賞口(19)を閉鎖する駆動制御を実行する。また特定領域スイッチ(195)からの検出信号が入力された場合には、閉鎖後に再度開放する。これを、最大１５回まで繰返し可能に設定してある。
【００５８】
図７は、主制御部(200)が実行する処理のうちの図６のステップＳ６０７に示す確定図柄抽選処理を説明するフローチャートである。
まず、ステップＳ７００において、主制御部(200)は、ステップＳ６０２において、特賞状態を生起する抽選結果となったか否かを判定する処理を実行する。特賞状態を生起する抽選結果となったと判定する(YES)と、ステップＳ７０１へ移行する。一方、特賞状態を生起する抽選結果とならなかったと判定する(NO)と、ステップＳ７０２へ移行する。
【００５９】
ステップＳ７０１において、主制御部(200)は、当選図柄決定処理として、特賞図柄の種類を選択決定するために用いられる当選図柄決定用カウンタ(401)から、カウント値を選択して、選択したカウント値に対応する特賞図柄の種類が決定され、停止図柄指定情報をＲＡＭ(202)の所定エリアに格納する。
【００６０】
一方、ステップＳ７０２において、主制御部(200)は、外れ図柄決定処理として、同一の図柄とならないように図柄の種類を選択するために用いられる左図柄決定用カウンタ(402)と、中図柄決定用カウンタ(403)と右図柄決定用カウンタ(404)とから、それぞれカウント値を選択して、選択したカウント値に対応する確定図柄の種類が決定され、停止図柄指定情報をＲＡＭ(202)の所定エリアに格納する。
【００６１】
なお、この外れ図柄決定処理では、選択したカウント値同士を組合わせた所定の演算を実行することによってカウント値を変更し、該変更したカウント値数に対応する特別図柄表示装置(14)に確定表示される複数桁の図柄の種類を決定する。この処理を、図８を参照しつつ説明する。
【００６２】
まず、ステップＳ８００において、主制御部(200)は、この時点、すなわち特別表示装置(14)に表示される表示状態を変動させたとき、またはその後に、左図柄決定用カウンタ(402)から選択したカウント値と、中図柄決定用カウンタ(403)から選択したカウント値とを加算する処理を実行する。
【００６３】
ステップＳ８０１において、主制御部(200)は、ステップＳ８００において加算したカウント値が最大値(ここでは９)を超過したか否かを判定する。ここで、最大値を超過したと判定する(YES)と、ステップＳ８０２へ移行する。一方、最大値を超過しないと判定する(NO)と、ステップＳ８０３へ移行する。
【００６４】
ステップＳ８０２において、主制御部(200)は、ステップＳ８００において加算したカウント値から、最大値と同一の数値(ここでは９)を減算する処理を実行する。また、ランダムな数値を減算する処理としてもよい。
【００６５】
ステップＳ８０３において、主制御部(200)は、ステップＳ８０１、もしくはステップＳ８０２のいずれかの演算で変更したカウント値に対応する左図柄における確定表示される図柄の種類が決定される。
【００６６】
次に、ステップＳ８０４において、主制御部(200)は、この時点、すなわち特別表示装置(14)に表示される表示状態を変動させたとき、またはその後に、中図柄決定用カウンタ(403)から選択したカウント値と、右図柄決定用カウンタ(404)から選択したカウント値とを加算する処理を実行する。
【００６７】
ステップＳ８０５において、主制御部(200)は、ステップＳ８０４において加算したカウント値が最大値(ここでは９)を超過したか否かを判定する。ここで、最大値を超過したと判定する(YES)と、ステップＳ８０６へ移行する。一方、最大値を超過しないと判定する(NO)と、ステップＳ８０７へ移行する。
【００６８】
ステップＳ８０６において、主制御部(200)は、ステップＳ８０４において加算したカウント値から、最大値と同一の数値(ここでは９)を減算する処理を実行する。また、ランダムな数値を減算する処理としてもよい。
【００６９】
ステップＳ８０７において、主制御部(200)は、ステップＳ８０４もしくはステップＳ８０６のいずれかの演算で変更したカウント値に対応する中図柄における確定表示される図柄の種類を決定する。
【００７０】
次に、ステップＳ８０８において、主制御部(200)は、この時点、すなわち特別表示装置(14)に表示される表示状態を変動させたとき、またはその後に、右図柄決定用カウンタ(404)から選択したカウント値と、左図柄決定用カウンタ(402)から選択したカウント値とを加算する処理を実行する。
【００７１】
ステップＳ８０９において、主制御部(200)は、ステップＳ８０８において加算したカウント値が最大値(ここでは９)を超過したか否かを判定する。ここで、最大値を超過したと判定する(YES)と、ステップＳ８１０へ移行する。一方、最大値を超過しないと判定する(NO)と、ステップＳ８１１へ移行する。
【００７２】
ステップＳ８１０において、主制御部(200)は、ステップＳ８０８において加算したカウント値から、最大値と同一の数値(ここでは９)を減算する処理を実行する。また、ランダムな数値を減算する処理にしてもよい。
【００７３】
ステップＳ８１１において、主制御部(200)は、ステップＳ８０８もしくはステップＳ８１０のいずれかの演算で変更したカウント値に対応する右図柄における確定表示される図柄の種類を決定し、ここでの処理を終了させる。
【００７４】
以上、説明した本発明の実施形態によれば、それぞれ独立して形成されている左・中・右図柄決定用カウンタ(402)(403)(404)からカウント値を選択しても、選択したカウント値同士を組合わせた所定の演算を実行することにより、カウント値を変更して、該変更したカウント値に対応する特別図柄表示装置(14)に確定表示される複数桁の図柄の種類を決定するため、表示結果としての複数桁の図柄のランダム性は高められ、表示結果の偏りを防止することができる。
【００７５】
また、主制御部(200)は、特別図柄表示装置(14)の制御を全て実行することはないので、制御負担を軽減させることが可能になるとともに、主制御部(200)が確定表示される複数桁の図柄の種類を決定することによって、特別図柄表示装置(14)側が、主制御部(200)側の意に添わない制御を行なってしまうことが防止される。
【００７６】
さらに、確定表示される表示結果としての複数桁の図柄の種類を決定する時期は、図柄が変動したとき、またはその後であるため、図柄が変動する以前、すなわち始動記憶したときから、確定表示される複数桁の図柄の種類を決定しておく必要がなく、その分の制御負担が軽減され、設計の自由度を増すことが可能となる。
【００７７】
さらに、ＣＰＵ(300)は、図柄を確定表示した直後に、この確定表示された図柄内容を示す情報(例えば、確定図柄は右図柄「７」であることを示す情報)を、表示関連情報出力端子(380)に出力する処理を実行する。そのため、表示関連情報出力端子(380)と遊技機外部の情報収集装置とを接続すれば、表示装置(14)に確定表示される表示結果の内容を示す情報が収集可能になり、表示結果としての図柄のランダム性が高められていることを、簡単な構成で検査することができるとともに、開発の効率化を図ることができる。
【００７８】
以上、本発明の一実施形態について説明したが、本発明の要旨を逸脱しない範囲内で、上記実施形態に種々の変形や変更を施すことが可能である。例えば、選択したカウント値同士を組合わせた所定の演算として、減算や乗算を実行することによって、カウント値を変更すること、識別情報決定手段を表示制御手段にもたせること、２桁や４桁以上の識別情報を表示可能な表示装置を採用すること等が挙げられる。
【００７９】
また、複数列の図柄が予め定められた表示態様となった場合に、大入賞口(19)が開放する遊技機として説明したが、本発明は、図柄が予め定められた特定表示結果となったことにより、所定の入賞口が開放して（遊技者にとって有利な遊技状態）、開放期間中に所定の入賞口に遊技球が入賞した場合に、特定の入賞装置が開放する契機となる遊技機やスロットマシン等に対しても、適用可能である。
【００８０】
【発明の効果】
本発明によれば、各表示領域に確定表示される識別情報のランダム性を高めることにより、表示結果の偏りを防止することが可能となる。また、各表示領域に確定表示させる識別情報を決定するための演算は、外れ表示結果を表示させる場合にのみ行うので、遊技制御手段の負担を軽減できる効果を奏する。
【図面の簡単な説明】
【図１】本発明における一実施形態を適用した遊技機の一部分を構成する遊技盤の正面図である。
【図２】遊技装置に係わる遊技制御ブロック図である。
【図３】特別図柄表示装置に係わる表示制御ブロック図である。
【図４】特別図柄に関連する数値データとしてのカウント値を更新するカウンタを説明する模式図である。
【図５】数値データとしてのカウント値に対応したデータを含むデータテーブルを説明する模式図である。
【図６】主制御部が実行する主要な処理を説明するフローチャートである。
【図７】主制御部が実行する確定図柄抽選処理を説明するフローチャートである。
【図８】主制御部が実行する外れ図柄決定処理を説明するフローチャートである。
【符号の説明】
(1a)(1b)(1c)(1d)始動権利数表示装置
(10)遊技盤
(11)外側ガイドレール
(12)内側ガイドレール
(13)遊技領域
(14)特別図柄表示装置(表示装置)
(15)特別図柄始動口
(15a)(15b)可動片
(16)普通図柄作動ゲート
(17)普通図柄表示装置
(17a)(17b)普通図柄表示領域
(18)変動入賞装置
(19)大入賞口
(20)ランプ付き風車
(21)アウト口
(22)ランプ表示装置
(150)特別図柄始動スイッチ
(160)普通図柄作動スイッチ
(180)大入賞口作動ソレノイド
(185)普通電動役物作動ソレノイド
(190)大入賞口スイッチ
(195)特定領域スイッチ
(200)主制御部(遊技制御手段、表示結果決定手段)
(201)ＲＯＭ
(202)ＲＡＭ
(210)入力ポート
(220)出力ポート
(230)表示灯装置
(240)効果音発生装置
(300)ＣＰＵ(表示制御手段、情報出力手段)
(310)画像表示処理用ＬＳＩ
(320)データ受信回路
(330)プログラムＲＯＭ
(340)ＲＡＭ
(350)ビデオＲＡＭ
(360)キャラクタＲＯＭ
(370)ＬＣＤディスプレイ
(380)表示関連情報出力端子
(400)特賞状態決定用カウンタ
(401)当選図柄決定用カウンタ
(402)左図柄決定用カウンタ
(403)中図柄決定用カウンタ
(404)右図柄決定用カウンタ
【図１】
0004263874.tif 000002
【図２】
0004263874.tif 000003
【図３】
0004263874.tif 000004
【図４】
0004263874.tif 000005
【図５】
0004263874.tif 000006
【図６】
0004263874.tif 000007
【図７】
0004263874.tif 000008
【図８】
0004263874.tif 000009